(57)【要約】【課題】簡易な構造でありながらも、蓄電素子の積層方向の公差を吸収することのできる蓄電モジュールを提供する。【解決手段】蓄電モジュール１０は、リード端子１４を有する蓄電素子１２を複数積層してなる蓄電素子群１１と、リード端子１４と電気的に接続される接続部材４３と、接続部材４３と外部機器とを電気的に接続するコネクタ５０と、接続部材４３とコネクタ５０とを電気的に接続する端子部材４４と、を備える。接続部材４３は、蓄電素子１２の積層方向に平行に配され、端子部材４４と接続される接続部４３Ｂを有し、端子部材４４は、蓄電素子１２の積層方向に移動可能な状態で接続部４３Ｂに接続されている。【選択図】図２３
2015213032.tif 000002
【特許請求の範囲】
【請求項１】
リード端子を有する蓄電素子を複数積層してなる蓄電素子群と、
前記リード端子と電気的に接続される接続部材と、
前記接続部材と外部機器とを電気的に接続するコネクタと、
前記接続部材と前記コネクタとを電気的に接続する端子部材と、を備え、
前記接続部材は、前記蓄電素子の積層方向に平行に配され、前記端子部材と接続される接続部を有し、
前記端子部材は、前記蓄電素子の積層方向に移動可能な状態で前記接続部に接続されている蓄電モジュール。
【請求項２】
前記コネクタは、前記端子部材を、前記蓄電素子の積層方向への移動を許容しつつ前記接続部材と電気的に接続された状態で保持するハウジングを備える請求項１に記載の蓄電モジュール。
【請求項３】
前記コネクタには、前記リード端子と電気的に接続されるヒューズを装着するヒューズ装着部が設けられている請求項１または請求項２に記載の蓄電モジュール。
【発明の詳細な説明】
【技術分野】
【０００１】
本発明は、蓄電モジュールに関する。
【背景技術】
【０００２】
例えば電気自動車やハイブリッド車両に搭載される電池モジュールは、一般に、多数の単電池をバスバーを介して直列または並列接続することにより構成されている。
このような電池モジュールは、例えば、単電池群の状態（電圧や温度等）を検出するための端子や、当該端子とＥＣＵ等のコントローラとを接続する電線を備える（例えば特許文献１を参照）。
【先行技術文献】
【特許文献】
【０００３】
【特許文献１】特開２０１１−９１００３号公報
【発明の概要】
【発明が解決しようとする課題】
【０００４】
上記特許文献１においては、電圧検知電線が圧着された電圧検知端子が、単電池間を接続するバスバーとともに電極にボルト締めされており、これにより、電圧検知端子が単電池群およびバッテリを制御するＥＣＵ等のコントローラと電気的に接続可能とされる。
【０００５】
ところで、単電池の状態を検出するための検知端子とバッテリを制御するコントローラ等の外部機器とを接続する方法として、ボルト締め以外に、コネクタを用いる方法がある。
【０００６】
ここで、単電池を複数積層してなる単電池群を備える電池モジュールにおいて、検知端子と外部機器とをコネクタを用いて接続する場合、単電池の積層方向における公差により、コネクタと検知端子との接続位置がずれることがあるため、単電池の積層方向における公差を考慮した構造のコネクタを用いる必要があった。
【０００７】
本発明は、簡易な構成でありながらも、蓄電素子の積層方向の公差を吸収することのできる蓄電モジュールを提供することを目的とする。
【課題を解決するための手段】
【０００８】
本発明は、リード端子を有する蓄電素子を複数積層してなる蓄電素子群と、前記リード端子と電気的に接続される接続部材と、前記接続部材と外部機器とを電気的に接続するコネクタと、前記接続部材と前記コネクタとを電気的に接続する端子部材と、を備え、前記接続部材は、前記蓄電素子の積層方向に平行に配され、前記端子部材と接続される接続部を有し、前記端子部材は、前記蓄電素子の積層方向に移動可能な状態で前記接続部に接続されている蓄電モジュールである。
【０００９】
本発明において、接続部材は、蓄電素子の積層方向に平行に配され、端子部材と接続される接続部を有し、端子部材は、蓄電素子の積層方向に移動可能な状態で接続部に接続されているので、端子部材が蓄電素子の積層方向に移動することにより蓄電素子の積層方向の公差を吸収することができる。その結果、本発明によれば、接続部材の接続部を蓄電素子の積層方向に平行に配される構成とし、端子部材が積層方向に移動可能に接続部材（接続部）に接続されている構成とするだけで、蓄電素子の積層方向の公差を吸収することができるので、簡易な構成でありながらも蓄電素子の積層方向の公差を吸収することができる。
【００１０】
本発明は以下の構成であってもよい。
前記コネクタは、前記端子部材を、前記蓄電素子の積層方向への移動を許容しつつ前記接続部材と電気的に接続された状態で保持するハウジングを備えていてもよい。
【００１１】
蓄電素子の積層方向への移動を許容されている端子部材が、接続部材との接続位置を超えて移動すると、接続部材との電気的な接続状態が悪化することが懸念される。しかしながら、上記のような構成とすると、端子部材が蓄電素子の積層方向への移動を許容されつつ接続部材と電気的に接続された状態で保持されるので、端子部材と接続部材との電気的な接続状態を確保することができる。
【００１２】
前記コネクタには、前記リード端子と電気的に接続されるヒューズを装着するヒューズ装着部が設けられていてもよい。
このような構成とすると、ヒューズを蓄電素子のすぐ近くに配置することができるので、過電流の影響が他の蓄電素子に及び難くなる。
【発明の効果】
【００１３】
本発明によれば、簡易な構造でありながらも、蓄電素子の積層方向の公差を吸収することのできる蓄電モジュールを提供することができる。
【図面の簡単な説明】
【００１４】
【図１】実施形態１の蓄電モジュールを左側方から示した斜視図
【図２】蓄電モジュールを右側方から示した斜視図
【図３】蓄電モジュールの平面図
【図４】図３のＡ−Ａ線における断面図
【図５】図３のＢ−Ｂ線における断面図
【図６】蓄電モジュールの左側面図
【図７】蓄電モジュールの右側面図
【図８】第１ハウジングを右側方から示した斜視図
【図９】第１ハウジングを蓄電素子側から示した斜視図
【図１０】第２ハウジングを右側方から示した斜視図
【図１１】第２ハウジングの右側面図
【図１２】図７のＣ−Ｃ線における断面図
【図１３】コネクタの右側面図
【図１４】図１３のＤ−Ｄ線における断面図
【図１５】コネクタと接続部材との接続状態を上面側から示した図
【図１６】コネクタと接続部材との接続状態を背面側から示した図
【図１７】第１保持部材の平面図
【図１８】第２保持部材の平面図
【図１９】第３保持部材の平面図
【図２０】第４保持部材の平面図
【図２１】第５保持部材の平面図
【図２２】第６保持部材の平面図
【図２３】端子部材が積層方向（上方向）に移動している様子を示す斜視図
【図２４】端子部材が積層方向（下方向）に移動している様子を示す斜視図
【図２５】積層体の厚み寸法が最も大きい状態のときの蓄電モジュールの正面図
【図２６】積層体の厚み寸法が最も小さい状態のときの蓄電モジュールの正面図
【図２７】積層体の厚み寸法が最も大きい状態のときの蓄電モジュールの背面図
【図２８】積層体の厚み寸法が最も小さい状態のときの蓄電モジュールの背面図
【発明を実施するための形態】
【００１５】
＜実施形態１＞
本発明の実施形態１を図１ないし図２８によって説明する。図面においては、複数の同一部材のうち一の部材にのみ符号を付し、他の同一部材については符号を省略する場合がある。以下の説明において、図１における左側を前方とし右側を後方とする。
【００１６】
本実施形態の蓄電モジュール１０は、図１及び図２に示すように、複数（本実施形態では、６個）の蓄電素子１２が積層された蓄電素子群１１を備える。本実施形態においては、蓄電素子１２は、二次電池、キャパシタ、コンデンサ等、必要に応じて任意の蓄電素子１２を用いることができる。本実施形態に係る蓄電素子１２としては、二次電池が用いられている。
【００１７】
本実施形態の蓄電モジュール１０は、保持部材３０が取り付けられた伝熱部材２２に蓄電素子１２を載置してなる蓄電ユニット２１を６つ積層してなる積層体２０を備える。
【００１８】
（蓄電ユニット２１）
積層体２０を構成する蓄電ユニットのうち、最も下の段に配されるものを第１蓄電ユニット２１Ａとし、下から２段目〜５段目に配されるものを第２蓄電ユニット２１Ｂとし、最も上の段に配されるものを第３蓄電ユニット２１Ｃとする。各蓄電ユニット２１は長手方向の両端部にそれぞれ保持部材３０が取り付けられた伝熱部材２２と、伝熱部材２２の上に載置されるとともに保持部材３０により保持される蓄電素子１２と、を備える。
【００１９】
（伝熱部材２２）
伝熱部材２２は熱伝導性材料からなる部材である。本実施形態では、熱伝導性材料として、熱伝導性に優れたアルミニウムまたはアルミニウム合金が用いられる。伝熱部材２２の長手方向における一対の側縁には、図１に示すように、上方に起立する熱伝導壁２３が４つずつ間隔をあけて形成されている。この熱伝導壁２３は、積層体２０をケース（図示せず）に収容したときにケース内壁面に接触するように配置されて、蓄電素子１２から発生する熱をケースに伝導する機能を有する。蓄電素子１２から発生した熱は熱伝導壁２３を介してケースに伝わり、ケースの外に放熱されるようになっている。
【００２０】
伝熱部材２２の長手方向における両端部には、それぞれ絶縁樹脂材料からなる保持部材３０が取り付けられており、伝熱部材２２の上面には蓄電素子１２が載置される。
【００２１】
（蓄電素子１２）
蓄電素子１２は、図３に示すように、上方から見て略長方形状をなしている。蓄電素子１２は、略長方形状をなす一対のラミネートフィルムの側縁を溶着してなる容器１３と、容器１３の内部に収容された図示しない蓄電要素と、容器１３の内部において蓄電要素に接続されると共に、容器１３の側縁から外部に導出されるリード端子１４と、を備える。容器１３の一方の側縁から導出されるリード端子１４の極性は、他方の側縁から導出されるリード端子１４の極性と異なっている。
【００２２】
図４に示すように、積層方向に重ねられた蓄電素子１２同士は、それぞれの蓄電素子１２のリード端子１４同士が重なり合うように配されることにより、直列に、又は並列に接続される。
【００２３】
本実施形態では図４に示すように、積層方向（図４の上下方向）において隣り合うリード端子１４の端部は、垂直上方または垂直下方に折り曲げられ相互に重なり合うように配されている。
【００２４】
積層方向に重ねられた蓄電素子１２同士は、極性の相違するリード端子１４同士が電気的に接続されることにより、直列に接続されている。積層方向において隣り合うリード端子１４同士は、溶接、ハンダ付け、ロウ付け等、公知の手法により接続することができる。
【００２５】
リード端子１４には、蓄電素子１２の電圧を検知するための金属製の電圧検知バスバー４３（接続部材の一例）が、溶接、ハンダ付け、ロウ付け等、公知の手法により接続されている。
【００２６】
（保持部材３０）
絶縁材料からなる保持部材３０には、図１７〜図２２に示すように、固定部材（図示せず）を挿通可能な２つの貫通孔３１が貫通して設けられている。各保持部材３０には、図３に示すように、リード端子１４の幅広領域１５の角部１５Ａが嵌り込む凹状の蓄電素子保持部３２が形成されている。この蓄電素子保持部３２により、リード端子１４（蓄電素子１２）は移動を規制される。
【００２７】
本実施形態では６種類の保持部材３０を用いる。最下段の第１蓄電ユニット２１Ａを構成する２つの保持部材３０のうち、後方に配される保持部材３０が第１保持部材３０Ａであり（図１７参照）、前方に配される保持部材３０が第２保持部材３０Ｂである（図１８参照）。
【００２８】
下から２段目〜５段目の第２蓄電ユニット２１Ｂを構成する２つの保持部材３０のうち、一方の保持部材３０が第３保持部材３０Ｃであり（図１９参照）、他方の保持部材３０が第４保持部材３０Ｄである（図２０参照）。２段目および４段目では第３保持部材３０Ｃが後方に配され、第４保持部材３０Ｄが前方に配される。３段目および５段目では第３保持部材３０Ｃが前方に配され、第４保持部材３０Ｄが後方に配される。
【００２９】
最上段の第３蓄電ユニット２１Ｃを構成する２つの保持部材３０のうち、後方に配される保持部材３０が第５保持部材３０Ｅであり（図２１参照）、前方に配される保持部材３０が第６保持部材３０Ｆである（図２２参照）。
【００３０】
本実施形態において、蓄電素子１２の積層方向において隣り合う保持部材３０は、蓄電素子１２の積層方向に移動可能に係止されている（図２５〜図２８参照）。
【００３１】
第１保持部材３０Ａの図１７における左右の端縁には、積層した際に上方に配される第３保持部材３０Ｃの係止部３３を受け入れる係止受け部３４がそれぞれ突出形成されている。第２保持部材３０Ｂの図１８における左右の端縁には、積層した際に上方に配される第４保持部材３０Ｄの係止部３３を受け入れる係止受け部３４がそれぞれ突出形成されている。
【００３２】
第３保持部材３０Ｃの図１９における左右の端縁には、積層した際に下方に配される保持部材３０の係止受け部３４に受け入れられる係止部３３がそれぞれ突出形成されており、第３保持部材３０Ｃの図１９における左右の端縁には、積層した際に上方に配される保持部材３０の係止部３３を受け入れる係止受け部３４がそれぞれ形成されている。
【００３３】
第４保持部材３０Ｄの図２０における左右の端縁には、積層した際に下方に配される保持部材３０の係止受け部３４に受け入れられる係止部３３がそれぞれ突出形成されており、第４保持部材３０Ｄの図２０における左右の端縁には、積層した際に上方に配される保持部材３０の係止部３３を受け入れる係止受け部３４がそれぞれ形成されている。
【００３４】
第５保持部材３０Ｅの図２１における左右の端縁には、積層した際に下方に配される保持部材３０の係止受け部３４に受け入れられる係止部３３がそれぞれ形成されている。
【００３５】
第６保持部材３０Ｆの図２２における左右の端縁には、積層した際に下方に配される保持部材３０の係止受け部３４に受け入れられる係止部３３がそれぞれ形成されている。
【００３６】
第１保持部材３０Ａおよび第５保持部材３０Ｅには、それぞれ、外部機器（図示せず）と接続される外部接続バスバー３６を保持するバスバー保持部３５が設けられている。バスバー保持部３５は、外部接続バスバー３６がはめ込まれる凹み部３５Ａと、凹み部３５Ａにはめ込まれた外部接続バスバー３６を抜け止めする抜け止め突部３５Ｂと、を備える。
【００３７】
外部接続バスバー３６は、銅、銅合金、アルミニウム、アルミニウム合金等の金属製材料からなり、リード端子１４と重なり合うように配される。外部接続バスバー３６の端部は前方に突出しており、その端部には外部接続端子（図示せず）と接続される接続孔３６Ａが設けられている。
【００３８】
第１保持部材３０Ａ、第２保持部材３０Ｂ、第３保持部材３０Ｃおよび第５保持部材３０Ｅには、それぞれ、電圧検知バスバー４３が保持される検知端子保持部３７が設けられている。
【００３９】
検知端子保持部３７は、電圧検知バスバー４３の端子接続部４３Ａがはめ込まれる凹部３７Ａが設けられているとともに、端子接続部４３Ａを取り付ける取付ピン３７Ｂおよび端子接続部４３Ａを抜け止めする一対の抜け止め片３７Ｃが突出形成されている。
【００４０】
（電圧検知バスバー４３）
電圧検知バスバー４３は、蓄電素子１２のリード端子１４と電気的に接続される（接続部材の一例）。電圧検知バスバー４３は、図１５および図１６に示すように、リード端子１４に重ねられ接続される端子接続部４３Ａと、端子接続部４３Ａに対して垂直上方に折り曲げられ、ヒューズ４０と電気的に接続される接続部４３Ｂと、を備える。
【００４１】
電圧検知バスバー４３の端子接続部４３Ａの端部には保持部材３０に形成された取付ピン３７Ｂが挿通される取付孔４３Ｃが貫通して形成されている。
【００４２】
電圧検知バスバー４３は、蓄電素子１２の積層方向に平行に配され、第１中継端子４４（端子部材の一例）と接続される接続部４３Ｂ（端子部材と接続される接続部の一例）を有している。
【００４３】
（第１中継端子４４）
電圧検知バスバー４３は第１中継端子４４を介してヒューズ４０と電気的に接続されている。第１中継端子４４は例えば、銅、銅合金、アルミニウム、アルミニウム合金等の金属製材料からなる。第１中継端子４４は端部に２股に分岐されることにより形成された音叉端子部４４Ａと、音叉端子部４４Ａに対して垂直に切り立つヒューズ接続部４４Ｂとを備える。
【００４４】
第１中継端子４４の音叉端子部４４Ａには電圧検知バスバー４３の接続部４３Ｂが挟持され、接続される。第１中継端子４４の音叉端子部４４Ａは、図２３および図２４に示すように、電圧検知バスバー４３の接続部４３Ｂに対して積層方向に移動可能に接続される。第１中継端子４４の音叉端子部４４Ａは、電圧検知バスバー４３とコネクタ５０とを電気的に接続する部材であって端子部材の一例である。
【００４５】
（ヒューズ４０）
ヒューズ４０は、第１中継端子４４の音叉端子部４４Ａに挟まれて電気的に接続される接続部４０Ａと、第２中継端子４５のヒューズ接続部４５Ａと電気的に接続される接続部４０Ｂと、２つの接続部４０Ａ，４０Ｂをつなげるように設けられている絶縁樹脂製の絶縁部４１と、を有する。２つの接続部４０Ａ，４０Ｂは絶縁部４１の内部においてつながっている。接続部４０Ａ，４０Ｂは金属材料からなる。ヒューズ４０に過電流が流れた場合、ヒューズ４０が溶断することにより、過電流が遮断される。
【００４６】
（第２中継端子４５）
第２中継端子４５は例えば、銅、銅合金、アルミニウム、アルミニウム合金等の金属製材料からなり、ヒューズ４０に接続されるヒューズ接続部４５Ａと、ヒューズ接続部４５Ａから連なりコネクタ５０の端子収容部５９内に配されるタブ状の雄端子４５Ｂと、を備える。
【００４７】
（コネクタ５０）
本実施形態では、蓄電モジュール１０の前方（図１の左側）と後方（図１の右側）に、それぞれコネクタ５０が取り付けられている。コネクタ５０は、電圧検知バスバー４３（接続部材）と電池コントロールユニットなどの外部機器（図示せず）とを電気的に接続する。
【００４８】
蓄電モジュール１０の前方に取り付けられているコネクタ５０Ｂは３つの端子収容部５９を有するのに対し、後方に取り付けられているコネクタ５０Ａは４つの端子収容部５９を有する。
【００４９】
コネクタ５０は蓄電素子１２側に配される第１コネクタ５１と、第１コネクタ５１と嵌合する第２コネクタ５６とからなる。ここで第１コネクタ５１のハウジングを第１ハウジング５２とし、第２コネクタ５６のハウジングを第２ハウジング５７とする。図８〜図１１には蓄電モジュール１０の後方に配されるコネクタ５０Ａのハウジング５１，５６が示されている。
【００５０】
第１ハウジング５２には図８および図９に示すように蓄電素子１２側に突出し、保持部材３０の貫通孔３１に重ねて配され、固定部材が挿通される固定部５３が設けられている。固定部５３には貫通孔３１と重なり合って１つの孔を形成する円形孔５３Ａが貫通して設けられており、最下段の第１保持部材３０Ａおよび最上段の第５保持部材３０Ｅに設けた固定突部（図示せず）を受け入れる長方形状の固定孔５３Ｂが設けられている。
【００５１】
また、第１ハウジング５２の図８における左側の内壁部には、第２ハウジング５７を嵌合案内するガイド部５４が設けられている。第１ハウジング５２内には、電圧検知バスバー４３の接続部４３Ｂが配されるバスバー配置部５５が設けられている。
【００５２】
第２ハウジング５７は、図１１に示すように、右側に端子収容部５９を有するとともに、左側にヒューズ装着部５８を有する。図１４に示すように、端子収容部５９およびヒューズ装着部５８は、それぞれ、開口部５９Ａ，５８Ａを有している。第２ハウジング５７は、端子収容部５９の開口部５９Ａを覆う収容部カバー６２と、ヒューズ装着部５８の開口部５８Ａを覆うヒューズカバー６０とを有する。
【００５３】
第２ハウジング５７の側壁（図１１の左側壁）には、ヒューズカバー６０を係止するカバー係止突部５７Ａが突出形成されている。また第２ハウジング５７の上壁と下壁には、収容部カバー６２を係止するカバー係止突部５７Ａが突出形成されている。ヒューズカバー６０には、カバー係止突部５７Ａに係止される係止孔６１が形成されており、収容部カバー６２には、カバー係止突部５７Ａに係止される係止孔６３と、電線４８が配される電線配置孔６４とが形成されている。
【００５４】
第２ハウジング５７の端子収容部５９には、第２中継端子４５の雄端子４５Ｂが配されており、この雄端子４５Ｂに雌型端子４７が嵌合し、端子収容部５９内に配されるようになっている。また、第２ハウジング５７の端子収容部５９の内壁には、図１４に示すように、雄端子４５Ｂと電気的に接続される雌型端子４７を係止するランス５９Ｃが形成されている。
【００５５】
第２ハウジング５７のヒューズ装着部５８の内部には、第２中継端子４５のヒューズ接続部４５Ａと、第１中継端子４４のヒューズ接続部４４Ｂとが配されるようになっている。第２ハウジング５７においては、第１中継端子４４とヒューズ４０と第２中継端子４５とが接続されている。
【００５６】
第２ハウジング５７は第１中継端子４４を、蓄電素子１２の積層方向への移動を許容しつつ電圧検知バスバー４３と電気的に接続された状態で保持する（第２ハウジング５７はハウジングの一例）。
【００５７】
雌型端子４７は、端子収容部５９の内壁に形成されたランス５９Ｃに係止されることにより、端子収容部５９内に抜け止め状態で保持されるようになっている。雌型端子４７は金属板材を所定の形状をプレス加工してなる。雌型端子４７は電線４８の端部に接続されている。雌型端子４７は、電線４８に接続された部分と反対側の位置に、第２中継端子４５の雄端子４５Ｂと接続される筒状の端子接続部４７Ａを備える。端子接続部４７Ａの内部には、雄端子４５Ｂと弾性的に接触する弾性接触片４７Ｂが配されている。雄端子４５Ｂと弾性接触片４７Ｂとが弾性的に接触することにより、ヒューズ４０と雌型端子４７とが第２中継端子４５を介して電気的に接続されるようになっている。電線４８は雌型端子４７の２組のバレル部４７Ｃを圧着することにより接続されている。
【００５８】
（蓄電モジュール１０の組み立て方法）
第１保持部材３０Ａと第２保持部材３０Ｂとを取り付けた伝熱部材２２と、第３保持部材３０Ｃと第４保持部材３０Ｄとを取り付けた伝熱部材２２を４つと、第５保持部材３０Ｅと第６保持部材３０Ｆとを取り付けた伝熱部材２２と、を用意する。
【００５９】
外部接続バスバー３６をバスバー保持部３５に取り付け、電圧検知バスバー４３を検知端子保持部３７に保持させる。電圧検知バスバー４３の端子接続部４３Ａを凹部３７Ａにはめ込むと端子接続部４３Ａは抜け止め片３７Ｃにより抜け止めされる。電圧検知バスバー４３の端子接続部４３Ａを取付ピン３７Ｂにより取り付けると電圧検知バスバー４３は保持部材３０に固定される。
【００６０】
次に各伝熱部材２２に蓄電素子１２を載置し、外部接続バスバー３６とリード端子１４、ならびに電圧検知バスバー４３とリード端子１４をそれぞれ溶接等の方法により接続し、各蓄電ユニット２１を作製する。
【００６１】
次に６つの蓄電ユニット２１を積層し積層体２０を作製する。第１蓄電ユニット２１Ａの上に、第２蓄電ユニット２１Ｂを４層重ねて、第３蓄電ユニット２１Ｃを重ねる。このとき、積層方向において隣り合う保持部材３０の係止部３３を係止受け部３４に係止させるようにする。
【００６２】
本実施形態において、積層方向において隣り合う保持部材３０の係止部３３と係止受け部３４との間には、詳細は図示しないが、隙間が形成されているので、保持部材３０は蓄電素子１２の積層方向に移動可能である。
【００６３】
蓄電ユニット２１を積層した後、積層方向において隣り合うリード端子１４同士を溶接等の方法により接続し積層体２０を作製する。すると保持部材３０の貫通孔３１が重なり合って１つの孔が形成される。
【００６４】
積層体２０を作製する工程と同時にあるいは前後して、第２ハウジング５７に、第１中継端子４４および第２中継端子４５を取り付ける。具体的には、第１中継端子４４を、第２ハウジング５７のヒューズ装着部５８の内部に収容する。第２中継端子４５のヒューズ接続部４５Ａを第２ハウジング５７のヒューズ装着部５８内に配するとともに、第２中継端子４５の雄端子４５Ｂを第２ハウジング５７の端子収容部５９に配する。
【００６５】
次に端子収容部５９の開口部５９Ａから雌型端子４７を挿入すると雌型端子４７がランス５９Ｃに係止されて抜け止めされるとともに、雌型端子４７の端子接続部４７Ａの弾性接触片４７Ｂと雄端子４５Ｂとが弾性的に接触する（図１４を参照）。
【００６６】
次に、ヒューズ装着部５８にヒューズ４０を差し込んで装着するとヒューズ４０の接続部４０Ａは、第１中継端子４４の音叉端子部４４Ａに挟まれ、接続部４０Ｂは第２中継端子４５のヒューズ接続部４５Ａと接続される。次に、収容部カバー６２を端子収容部５９の開口部５９Ａにかぶせつけて第２ハウジング５７に係止させ、ヒューズカバー６０をヒューズ装着部５８の開口部５８Ａにかぶせつけて第２ハウジング５７に係止させると、第２コネクタ５６が得られる。
【００６７】
次に、積層体２０に第１コネクタ５１の第１ハウジング５２を取り付ける。第１ハウジング５２の固定部５３を保持部材３０に取り付けると、固定部５３の円形孔５３Ａが保持部材３０の貫通孔３１と重なり合って１つの孔が形成されるとともに、固定部５３の固定孔５３Ｂに最上段に配される保持部材３０の固定突部および最下段に配される保持部材３０の固定突部がそれぞれはまり込む。また第１ハウジング５２のバスバー配置部５５には、電圧検知バスバー４３の接続部４３Ｂが配される。
【００６８】
次に、第２コネクタ５６の第２ハウジング５７を第１コネクタ５１の第１ハウジング５２に嵌合させると、第２ハウジング５７内に配された第１中継端子４４の音叉端子部４４Ａが第１ハウジング５２のバスバー配置部５５に配された電圧検知バスバー４３の接続部４３Ｂに対して積層方向に移動可能に接続されれる。
【００６９】
図２３および図２４においては、第１中継端子４４の音叉端子部４４Ａが積層方向（上下方向）に移動可能に接続される様子を示している。なお、図２３および図２４においては第１ハウジング５２、第２ハウジング５７、外部接続バスバーおよび他の蓄電ユニット２１等を省略している。電圧検知バスバー４３の接続部４３Ｂに対する第１中継端子４４の音叉端子部４４Ａの位置は、例えば、１つの蓄電ユニット２１において、蓄電素子１２の厚み寸法が大きい場合に上方に配され、蓄電素子１２の厚み寸法が小さい場合に下方に配される。図２３に示す第１中継端子４４の音叉端子部４４Ａのほうが図２４に示す第１中継端子４４の音叉端子部４４Ａよりも上方に配されている。このように、蓄電素子１２の厚み寸法のばらつきを、第１中継端子４４の音叉端子部４４Ａが電圧検知バスバー４３の接続部４３Ｂにおいて蓄電素子の積層方向に移動して、その接続位置を調整することにより積層方向における公差を吸収している。
【００７０】
第１中継端子４４の音叉端子部４４Ａが第１ハウジング５２のバスバー配置部５５に配された電圧検知バスバー４３の接続部４３Ｂに対し積層方向に移動し、蓄電素子１２の積層方向における公差を吸収する。ここで、図２５および図２７においては、蓄電ユニット２１の厚み寸法の合計（積層体２０の厚み寸法）が最も大きい場合を示しており、図２６および図２８においては、蓄電ユニット２１の厚み寸法の合計（積層体２０の厚み寸法）が最も小さい場合を示している。図２５および図２７に示すように、積層体２０の厚み寸法が最大の場合には積層体２０とコネクタ５０の上端との間に隙間がないが、図２６および図２８に示すように積層体２０の厚み寸法が小さいと積層体２０とコネクタ５０の上端との間に隙間Ｓがある。
【００７１】
（本実施形態の作用、効果）
続いて、本実施形態の作用、効果について説明する。
本実施形態によれば、電圧検知バスバー４３は蓄電素子１２の積層方向に平行に配され、第１中継端子４４と接続される接続部４３Ｂを有し、第１中継端子４４は、蓄電素子１２の積層方向に移動可能な状態で接続部４３Ｂに接続されているので、第１中継端子４４が蓄電素子１２の積層方向に移動することにより蓄電素子１２の積層方向の公差を吸収することができる。
【００７２】
その結果、本実施形態によれば、電圧検知バスバー４３の接続部４３Ｂを蓄電素子１２の積層方向に平行に配される構成とし、第１中継端子４４が積層方向に移動可能に接続部４３Ｂに接続されている構成とするだけで、蓄電素子１２の積層方向の公差を吸収することができるので、簡易な構成でありながらも蓄電素子１２の積層方向の公差を吸収することができる。
【００７３】
ところで、蓄電素子１２の積層方向への移動を許容されている第１中継端子４４が、電圧検知バスバー４３との接続位置を超えて移動すると、電圧検知バスバー４３との電気的な接続状態が悪化することが懸念される。
【００７４】
しかしながら、本実施形態において、コネクタ５０は、第１中継端子４４の音叉端子部４４Ａを、蓄電素子１２の積層方向への移動を許容しつつ電圧検知バスバー４３と電気的に接続された状態で保持する第２ハウジング５７を備えているから、第１中継端子４４が蓄電素子１２の積層方向への移動を許容されつつ電圧検知バスバー４３と電気的に接続された状態で保持されるので、第１中継端子４４と電圧検知バスバー４３との電気的な接続状態を確保することができる。
【００７５】
また、本実施形態によれば、コネクタ５０には、リード端子１４と電気的に接続されるヒューズ４０を装着するヒューズ装着部５８が設けられているから、ヒューズ４０を蓄電素子１２のすぐ近くに配置することができるので、過電流の影響が他の蓄電素子１２に及び難くなる。
【００７６】
さらに、本実施形態によれば、蓄電素子１２の積層方向において隣り合う保持部材３０は、蓄電素子１２の積層方向に移動可能に係止されているから、蓄電素子１２の積層方向における公差を吸収することができる。
【００７７】
＜他の実施形態＞
本発明は上記記述及び図面によって説明した実施形態に限定されるものではなく、例えば次のような実施形態も本発明の技術的範囲に含まれる。
（１）上記実施形態ではコネクタ５０は、第１中継端子４４を蓄電素子１２の積層方向への移動を許容しつつ電圧検知バスバー４３と電気的に接続された状態で保持するハウジング５７を備える構成を示したが、ハウジングを備えない構成であってもよい。
（２）上記実施形態では、リード端子１４と電気的に接続されるヒューズ４０を装着するヒューズ装着部５８が設けられているコネクタ５０を示したが、ヒューズ装着部が設けられていないコネクタであってもよい。
【符号の説明】
【００７８】
１０…蓄電モジュール
１１…蓄電素子群
１２…蓄電素子
１４…リード端子
２０…積層体
２１…蓄電ユニット
２１Ａ…第１蓄電ユニット
２１Ｂ…第２蓄電ユニット
２１Ｃ…第３蓄電ユニット
３０…保持部材
３０Ａ…第１保持部材
３０Ｂ…第２保持部材
３０Ｃ…第３保持部材
３０Ｄ…第４保持部材
３０Ｅ…第５保持部材
３０Ｆ…第６保持部材
３３…係止部
３４…係止受け部
３７…検知端子保持部
３７Ａ…凹部
３７Ｂ…取付ピン
３７Ｃ…抜け止め片
４０…ヒューズ
４３…電圧検知バスバー（接続部材）
４３Ａ…端子接続部
４３Ｂ…接続部
４４…第１中継端子（端子部材）
４４Ａ…音叉端子部（端子部材）
４４Ｂ…ヒューズ接続部
４５…第２中継端子
４７…雌型端子
４８…電線
５０…コネクタ
５１…第１コネクタ
５２…第１ハウジング
５６…第２コネクタ
５７…第２ハウジング
５８…ヒューズ装着部
５９…端子収容部
【図１】
2015213032.tif 000003
【図２】
2015213032.tif 000004
【図３】
2015213032.tif 000005
【図４】
2015213032.tif 000006
【図５】
2015213032.tif 000007
【図６】
2015213032.tif 000008
【図７】
2015213032.tif 000009
【図８】
2015213032.tif 000010
【図９】
2015213032.tif 000011
【図１０】
2015213032.tif 000012
【図１１】
2015213032.tif 000013
【図１２】
2015213032.tif 000014
【図１３】
2015213032.tif 000015
【図１４】
2015213032.tif 000016
【図１５】
2015213032.tif 000017
【図１６】
2015213032.tif 000018
【図１７】
2015213032.tif 000019
【図１８】
2015213032.tif 000020
【図１９】
2015213032.tif 000021
【図２０】
2015213032.tif 000022
【図２１】
2015213032.tif 000023
【図２２】
2015213032.tif 000024
【図２３】
2015213032.tif 000025
【図２４】
2015213032.tif 000026
【図２５】
2015213032.tif 000027
【図２６】
2015213032.tif 000028
【図２７】
2015213032.tif 000029
【図２８】
2015213032.tif 000030